(57)【要約】【課題】対象物を高さ調整しつつ接地可能であると共に、接地が不要な対象物に対しては不要な傷をつけることなく高さ調整できる高さ調整ワッシャー、及び高さ調整ワッシャー固定構造を提供することである。【解決手段】高さ調整ワッシャー１００は、第一角部１１１と第一接続縁部１１０を備える。第一角部１１１と第一接続縁部１１０は、横方向に並ぶ。第一角部１１１は第一突出部１１１Ｂを備える。第一突出部１１１Ｂは、パネルの被覆部を破り、パネルの導電性部材に接触可能である。使用者が例えば二枚の高さ調整ワッシャー１００を用意し、上側の高さ調整ワッシャー１００を上下反転させて積み重ねる。この場合、上側の第一突出部１１１Ｂは、下側の第一接続縁部１１０に対して縦方向及び横方向に対向する。同様に、下側にある第一突出部１１１Ｂは、上側にある第一接続縁部１１０に対して縦方向及び横方向に対向する。【選択図】図５
2017075639.tif 000002
【特許請求の範囲】
【請求項１】
平面部を有する板状体を備えた高さ調整ワッシャーであって、
前記板状体は、
前記平面部の第一の縁部である第一縁部と、
前記平面部の第二の縁部であって、前記第一縁部と交差する方向に延びる第二縁部と、
前記平面部の第三の縁部であって、前記第二縁部と交差する方向に延びる第三縁部と、
前記第二縁部と前記第三縁部のそれぞれの一端に接続する第一接続縁部と、
前記第一接続縁部と前記第三縁部とが互いに接続する位置である接続位置と、前記第一縁部とを最短で結ぶ仮想線分を二等分する位置にて、前記第一縁部と平行に延びる仮想平面が、内側を通過する開口縁部と、
前記第一縁部の一端から、前記第一縁部と交差する方向に直線状に延びる第四縁部と、
前記第一縁部と前記第四縁部との接続部分によって形成される第一角部は、
前記第一接続縁部の厚さ方向において、前記第一接続縁部と同じ位置に配置される第一基端部と、
前記第一基端部から前記厚さ方向の一方側へ突出する第一突出部と
を備え、
前記第一突出部は、前記厚さ方向における突出長さが、前記第一接続縁部の厚さ以下となる形状であり、
前記第一接続縁部は、前記第一縁部が延びる方向と前記仮想線分が延びる方向のそれぞれの方向において、前記第一基端部よりも長く、且つ、前記仮想線分が延びる所定方向における前記仮想平面との離間距離が、前記所定方向における前記仮想平面と前記第一基端部との離間距離以下となる位置に配置されることを特徴とする高さ調整ワッシャー。
【請求項２】
前記第一突出部は、前記第一基端部から離間するに従い先細る形状であることを特徴とする請求項１に記載の高さ調整ワッシャー。
【請求項３】
前記開口縁部は、前記仮想平面を挟んで対向し、且つ直線状に延びる第一開口縁部及び第二開口縁部を備えることを特徴とする請求項１又は２に記載の高さ調整ワッシャー。
【請求項４】
前記第一開口縁部及び前記第二開口縁部は、前記仮想平面に対して対称であり、且つ、前記仮想平面と交差する方向に延びることを特徴とする請求項３に記載の高さ調整ワッシャー。
【請求項５】
前記開口縁部は、前記厚さ方向と直交する特定の方向の端が開放端となることを特徴とする請求項１から４のいずれかに記載の高さ調整ワッシャー。
【請求項６】
前記第三縁部は、前記第一縁部とは反対側の縁部であり、
前記第二縁部と前記第四縁部は、同一の縁部であり、
前記第一角部と前記第一接続縁部は、前記同一の縁部が延びる方向に並んで設けられることを特徴とする請求項１から５のいずれかに記載の高さ調整ワッシャー。
【請求項７】
前記板状体は、
前記第四縁部とは反対側の縁部であり、前記仮想平面と交差する方向に直線状に延びる第五縁部と、
前記第五縁部の一端から、前記仮想平面と平行に直線状に延びる第六縁部と、
前記仮想平面を挟んで前記第六縁部とは反対側に配置され、前記第五縁部とは異なる方向に延びる第七縁部と、
前記第五縁部の他端と、前記第七縁部の一端とを接続する第二接続縁部と
を備え、
前記第五縁部と前記第六縁部との接続部分によって形成される第二角部は、
前記厚さ方向において、前記第二接続縁部と同じ位置に配置される第二基端部と、
前記第二基端部から前記厚さ方向の前記一方側へ突出する第二突出部と
を備え、
前記第二突出部は、前記厚さ方向における突出長さが、前記第二接続縁部の厚さ以下となる形状であり、
前記第二接続縁部は、前記第六縁部が延びる方向と前記仮想線分が延びる方向のそれぞれの方向において、前記第二基端部よりも長く、前記仮想線分が延びる方向において、前記仮想平面に対して前記第二基端部よりも近接する位置に配置されることを特徴とする請求項１から６のいずれかに記載の高さ調整ワッシャー。
【請求項８】
溝底部と、前記溝底部の溝幅方向の両端部のそれぞれから立設する一対の溝壁部と、前記一対の溝壁部のそれぞれの先端部から互いに近接する方向に突出する一対のリップ片とを備えたリップ溝形鋼と、
前記一対のリップ片に載置される平面部を有し、且つ対象物を支持する板状体を備えた高さ調整ワッシャーと、
締結部材によって、前記対象物を前記板状体との間で挟んで固定する固定金具と
を備えた高さ調整ワッシャー固定構造であって、
前記板状体は、
前記平面部の第一の縁部である第一縁部と、
前記平面部の第二の縁部であって、前記第一縁部と交差する方向に延びる第二縁部と、
前記平面部の第三の縁部であって、前記第二縁部と交差する方向に延びる第三縁部と、
前記第二縁部と前記第三縁部のそれぞれの一端に接続する第一接続縁部と、
前記第一接続縁部と前記第三縁部とが互いに接続する位置である接続位置と、前記第一縁部とを最短で結ぶ仮想線分を二等分する位置にて、前記第一縁部と平行に延びる仮想平面が、内側を通過し、前記締結部材が挿通される開口縁部と、
前記第一縁部の一端から、前記第一縁部と交差する方向に直線状に延びる第四縁部と、
前記第一縁部と前記第四縁部との接続部分によって形成される第一角部は、
前記第一接続縁部の厚さ方向において、前記第一接続縁部と同じ位置に配置される第一基端部と、
前記第一基端部から前記厚さ方向の一方側へ突出する第一突出部と
を備え、
前記第一突出部は、前記厚さ方向における突出長さが、前記第一接続縁部の厚さ以下となる形状であり、
前記第一接続縁部は、前記第一縁部が延びる方向と前記仮想線分が延びる方向のそれぞれの方向において、前記第一基端部よりも長く、且つ、前記仮想線分が延びる所定方向における前記仮想平面との離間距離が、前記所定方向における前記仮想平面と前記第一基端部との離間距離以下となる位置に配置されることを特徴とする高さ調整ワッシャー固定構造。
【発明の詳細な説明】
【技術分野】
【０００１】
本発明は、高さ調整ワッシャーと、高さ調整ワッシャー固定構造に関する。
【背景技術】
【０００２】
高さ調整ワッシャーは、高さの調整がなされる対象物（以下、「対象物」という）と、対象物を支持する部材との間に、所定の枚数だけ配置される。例えば、特許文献１に開示される高さ調整ワッシャーは、マンホール本体と、対象物の一例であるマンホール蓋受枠との間に、複数枚の高さ調整ワッシャーが配置される。
【先行技術文献】
【特許文献】
【０００３】
【特許文献１】特開平１０−２３１８２１号公報
【発明の概要】
【発明が解決しようとする課題】
【０００４】
対象物が、導電性を有する導電性部材と、導電性部材を被覆する絶縁性の被覆部とを有する場合がある。この場合、高さ調整ワッシャーが対象物を接地できるように、高さ調整ワッシャーの上面に突起が設けられ、且つ、高さ調整ワッシャーの下面に凹部が設けられることが考えられる。突起は、被覆部を貫通して導電性部材に接触可能である。凹部には、別の高さ調整ワッシャーの突起が進入可能である。
【０００５】
しかしながら、上記高さ調整ワッシャーでは、対象物の接地が不要な場合であっても、突起が対象物に接触する。このため、対象物に不要な傷がつく虞がある。また、対象物の接地が不要な場合に、高さ調整ワッシャーを上下反転させて使用したとしても、対象物を支持する部材が突起によって傷つけられる虞がある。
【０００６】
本発明の目的は、対象物を高さ調整しつつ接地可能であると共に、接地が不要な対象物に対しては不要な傷をつけることなく高さ調整できる高さ調整ワッシャー、及び高さ調整ワッシャー固定構造を提供することである。
【課題を解決するための手段】
【０００７】
本発明の第一態様に係る高さ調整ワッシャーは、平面部を有する板状体を備えた高さ調整ワッシャーであって、前記板状体は、前記平面部の第一の縁部である第一縁部と、前記平面部の第二の縁部であって、前記第一縁部と交差する方向に延びる第二縁部と、前記平面部の第三の縁部であって、前記第二縁部と交差する方向に延びる第三縁部と、前記第二縁部と前記第三縁部のそれぞれの一端に接続する第一接続縁部と、前記第一接続縁部と前記第三縁部とが互いに接続する位置である接続位置と、前記第一縁部とを最短で結ぶ仮想線分を二等分する位置にて、前記第一縁部と平行に延びる仮想平面が、内側を通過する開口縁部と、前記第一縁部の一端から、前記第一縁部と交差する方向に直線状に延びる第四縁部と、前記第一縁部と前記第四縁部との接続部分によって形成される第一角部は、前記第一接続縁部の厚さ方向において、前記第一接続縁部と同じ位置に配置される第一基端部と、前記第一基端部から前記厚さ方向の一方側へ突出する第一突出部とを備え、前記第一突出部は、前記厚さ方向における突出長さが、前記第一接続縁部の厚さ以下となる形状であり、前記第一接続縁部は、前記第一縁部が延びる方向と前記仮想線分が延びる方向のそれぞれの方向において、前記第一基端部よりも長く、且つ、前記仮想線分が延びる所定方向における前記仮想平面との離間距離が、前記所定方向における前記仮想平面と前記第一基端部との離間距離以下となる位置に配置される
ことを特徴とする。
【０００８】
上記構成によれば、使用者は、高さが調整される対象物（以下、「対象物」という）と、対象物を支持する支持部材との間に、一枚又は複数枚の高さ調整ワッシャーを配置する。これにより、使用者は、対象物の高さを調整できる。また、使用者は、開口縁部に挿通した締結部材と、対象物を固定するための固定金具とによって、対象物を固定する。これにより、使用者は、対象物を所望の高さで固定できる。対象物が、導電性部材と、導電性部材を被覆部で覆った絶縁性の被覆部とを有し、対象物の接地が必要となる場合がある。この場合、使用者は、第一突出部を下方から対象物に接触させる。第一突出部が、対象物の被覆部を破って導電性部材に接触することで、高さ調整ワッシャーは、対象物に対して接地できる。一方、対象物に接地が不要な場合、使用者は、第一高さ調整ワッシャーと第二高さ調整ワッシャーとを使用する。第一高さ調整ワッシャーは、対象物に下側から接触する高さ調整ワッシャーである。第二高さ調整ワッシャーは、第一高さ調整ワッシャーに下側から接触する高さ調整ワッシャーである。使用者は、第一高さ調整ワッシャーの第一突出部が、第二高さ調整ワッシャーの第一接続縁部と水平方向に対向するように配置する。接地が不要な対象物は、第一突出部と接触しないので、対象物には不要な傷がつかない。以上より、対象物を高さ調整しつつ接地可能であると共に、接地が不要な対象物に対しては不要な傷をつけることなく高さ調整できる高さ調整ワッシャーが実現される。
【０００９】
上記高さ調整ワッシャーにおいて、前記第一突出部は、前記第一基端部から離間するに従い先細る形状であってもよい。この場合、高さ調整ワッシャーは、対象物に対して接地し易い。
【００１０】
上記高さ調整ワッシャーにおいて、前記開口縁部は、前記仮想平面を挟んで対向し、且つ直線状に延びる第一開口縁部及び第二開口縁部を備えてもよい。この場合、開口縁部の内側に締結部材が挿通し易い。
【００１１】
上記高さ調整ワッシャーにおいて、前記第一開口縁部及び前記第二開口縁部は、前記仮想平面に対して対称であり、且つ、前記仮想平面と交差する方向に延びてもよい。この場合、使用者は、開口縁部に挿通した締結部材を第一開口縁部及び第二開口縁部に接触させることで、第一縁部が延びる方向において、締結部材に対する高さ調整ワッシャーの位置を安定化できる。従って、高さ調整ワッシャーの使い易さが向上する。
【００１２】
上記高さ調整ワッシャーにおいて、前記開口縁部は、前記厚さ方向と直交する特定の方向の端が開放端となってもよい。この場合、開放端側から締結部材を開口縁部に挿通できる。よって、高さ調整ワッシャーの使い易さが更に向上する。
【００１３】
上記高さ調整ワッシャーにおいて、前記第三縁部は、前記第一縁部とは反対側の縁部であり、前記第二縁部と前記第四縁部は、同一の縁部であり、前記第一角部と前記第一接続縁部は、前記同一の縁部が延びる方向に並んで設けられてもよい。この場合、第一縁部と第三縁部の長さに関わらず、第一高さ調整ワッシャーの第一突出部は、第二高さ調整ワッシャーの第一接続縁部に対向するように配置できる。よって、高さ調整ワッシャーの形状は、使用方法に応じた適切な形状になり易い。
【００１４】
上記高さ調整ワッシャーにおいて、前記板状体は、前記第四縁部とは反対側の縁部であり、前記仮想平面と交差する方向に直線状に延びる第五縁部と、前記第五縁部の一端から、前記仮想平面と平行に直線状に延びる第六縁部と、前記仮想平面を挟んで前記第六縁部とは反対側に配置され、前記第五縁部とは異なる方向に延びる第七縁部と、前記第五縁部の他端と、前記第七縁部の一端とを接続する第二接続縁部とを備え、前記第五縁部と前記第六縁部との接続部分によって形成される第二角部は、前記厚さ方向において、前記第二接続縁部と同じ位置に配置される第二基端部と、前記第二基端部から前記厚さ方向の前記一方側へ突出する第二突出部とを備え、前記第二突出部は、前記厚さ方向における突出長さが、前記第二接続縁部の厚さ以下となる形状であり、前記第二接続縁部は、前記第六縁部が延びる方向と前記仮想線分が延びる方向のそれぞれの方向において、前記第二基端部よりも長く、前記仮想線分が延びる方向において、前記仮想平面に対して前記第二基端部よりも近接する位置に配置されてもよい。この場合、開口縁部に挿通した締結部材の軸線を中心とした高さ調整ワッシャーの回転位置に関わらず、第一突出部は対象物の下面に接触し易い。よって、高さ調整ワッシャーの使い易さが更に向上する。
【００１５】
本発明の第二態様に係る高さ調整ワッシャー固定構造は、溝底部と、前記溝底部の溝幅方向の両端部のそれぞれから立設する一対の溝壁部と、前記一対の溝壁部のそれぞれの先端部から互いに近接する方向に突出する一対のリップ片とを備えたリップ溝形鋼と、前記一対のリップ片に載置される平面部を有し、且つ対象物を支持する板状体を備えた高さ調整ワッシャーと、締結部材によって、前記対象物を前記板状体との間で挟んで固定する固定金具とを備えた高さ調整ワッシャー固定構造であって、前記板状体は、前記平面部の第一の縁部である第一縁部と、前記平面部の第二の縁部であって、前記第一縁部と交差する方向に延びる第二縁部と、前記平面部の第三の縁部であって、前記第二縁部と交差する方向に延びる第三縁部と、前記第二縁部と前記第三縁部のそれぞれの一端に接続する第一接続縁部と、前記第一接続縁部と前記第三縁部とが互いに接続する位置である接続位置と、前記第一縁部とを最短で結ぶ仮想線分を二等分する位置にて、前記第一縁部と平行に延びる仮想平面が、内側を通過し、前記締結部材が挿通される開口縁部と、前記第一縁部の一端から、前記第一縁部と交差する方向に直線状に延びる第四縁部と、前記第一縁部と前記第四縁部との接続部分によって形成される第一角部は、前記第一接続縁部の厚さ方向において、前記第一接続縁部と同じ位置に配置される第一基端部と、前記第一基端部から前記厚さ方向の一方側へ突出する第一突出部とを備え、前記第一突出部は、前記厚さ方向における突出長さが、前記第一接続縁部の厚さ以下となる形状であり、前記第一接続縁部は、前記第一縁部が延びる方向と前記仮想線分が延びる方向のそれぞれの方向において、前記第一基端部よりも長く、且つ、前記仮想線分が延びる所定方向における前記仮想平面との離間距離が、前記所定方向における前記仮想平面と前記第一基端部との離間距離以下となる位置に配置されることを特徴とする。高さ調整ワッシャー固定構造は、高さ調整ワッシャーと同様の効果を奏する。
【図面の簡単な説明】
【００１６】
【図１】ワッシャー固定構造１の斜視図である。
【図２】ワッシャー固定構造１の分解斜視図である。
【図３】回転金具１３０及びインナー金具１５０の斜視図である。
【図４】同じ向きに積み重ねた高さ調整ワッシャー１００の斜視図である。
【図５】第五方向側から見た高さ調整ワッシャー１００の図である。
【図６】第一方向側から見た高さ調整ワッシャー１００の図である。
【図７】孔部１６０Ａに軸部９１が挿通された高さ調整ワッシャー１００の図である。
【図８】第一突出部１１１Ｂが被覆部３Ｂを破る概念図である。
【図９】孔部１６０Ａに軸部６Ａが挿通された高さ調整ワッシャー１００の図である。
【図１０】孔部１６０Ａに軸部１０Ａが挿通された高さ調整ワッシャー１００の図である。
【図１１】上側の高さ調整ワッシャー１００を反転して重ねた三枚の高さ調整ワッシャー１００の斜視図である。
【図１２】三枚の高さ調整ワッシャー１００の右側面図である。
【図１３】第一変形例である高さ調整ワッシャー２００の図である。
【図１４】ボルト９４を挿通した高さ調整ワッシャー２００の図である。
【図１５】第二変形例である高さ調整ワッシャー３００の図である。
【図１６】二枚の高さ調整ワッシャー３００を重ねた図である。
【発明を実施するための形態】
【００１７】
本発明の一実施形態であるワッシャー固定構造１を説明する。以下、図１の上方、下方、左上方、右下方、左下方、及び右上方を、それぞれ、ワッシャー固定構造１の上方、下方、左方、右方、前方、及び後方と定義して説明する。
【００１８】
図１に示すように、本例のワッシャー固定構造１は、高さ調整ワッシャー１００でパネル３の高さを調整し、且つ、高さ調整ワッシャー１００及びパネル３をリップ溝形鋼８０に固定する構造である。本例のパネル３は、太陽電池パネルである。パネル３は、導電性を有する導電性部材３Ａと、導電性部材３Ａを被覆する絶縁性の被覆部３Ｂとを備える（図８参照）。本例の導電性部材３Ａは、アルミニウムによって形成される、いわゆるアルミ生地である。本例の被覆部３Ｂは、アルマイトである。被覆部３Ｂの厚さは、一例として、約１０μｍ〜２０μｍである。以下の説明では、高さ調整ワッシャー１００及びパネル３をリップ溝形鋼８０に固定した状態のワッシャー固定構造１を説明する。
【００１９】
図１及び図２に示すように、ワッシャー固定構造１は、リップ溝形鋼８０、回転金具１３０、ボルト９４、高さ調整ワッシャー１００、固定金具１７０、及びナット９６を備える。回転金具１３０、高さ調整ワッシャー１００、及び固定金具１７０は、いずれも、ボルト９４及びナット９６によってリップ溝形鋼８０に固定される。ワッシャー固定構造１が備える上記六つの部材は、いずれも、導電性を有する金属材料によって形成される。
【００２０】
リップ溝形鋼８０を説明する。リップ溝形鋼８０は、例えば建造物の屋根に設置される。リップ溝形鋼８０は、溝底部８２、一対の溝壁部８４、及び一対のリップ片８６を備える。溝底部８２は略矩形状の板状であり、前後方向に延びる。溝底部８２の短手方向は、リップ溝形鋼８０の溝幅方向であり、本例では左右方向と一致する。一対の溝壁部８４は、溝底部８２の短手方向の両端部から上方へ延びる板状である。一対の溝壁部８４は互いに対向する。一対のリップ片８６は、それぞれ、一対の溝壁部８４の上端部から互いに近接する方向へ向けて突出する板状である。一対のリップ片８６は溝底部８２と上下方向に対向する。一対のリップ片８６の間には、隙間８６Ａが形成される。以下、一対のリップ片８６の一方から他方までの最短の距離を溝開口幅という。溝開口幅は図１の寸法Ｗによって示される。
【００２１】
図３を参照し、回転金具１３０を説明する。回転金具１３０は、リップ溝形鋼８０の一対の溝壁部８４の間に配置される金具である。回転金具１３０は、板状部１３２及び一対の側壁部１３８を備える。板状部１３２は、溝底部８２と上下方向に対向する略平行四辺形状である。板状部１３２は、上下方向に直交して延びる。板状部１３２の長手方向における長さは、リップ溝形鋼８０の溝開口幅よりも長い一方、板状部１３２の短手方向における長さは、溝開口幅よりも短い。板状部１３２は、一対のリップ片８６に下方から接触する位置で固定される。板状部１３２の中央部には、円形状の貫通孔１３３が設けられる。貫通孔１３３には、後述のボルト９４が挿通される。一対の側壁部１３８は、それぞれ、板状部１３２の長辺部から下方に向けて延びる。側壁部１３８は、溝底部８２から上方に離間している。
【００２２】
本例では、回転金具１３０の一対の側壁部１３８の間に、インナー金具１５０が配置される。インナー金具１５０は、下方から板状部１３２に接触する。インナー金具１５０は、壁部１５２及び一対の対向壁部１５８を備える。壁部１５２は、上下方向と直交して延びる略矩形形状であり、板状部１３２に対向して接触する。一対の対向壁部１５８は、それぞれ、板状部１３２の両端部から下方に延びる。対向壁部１５８は、側壁部１３８に対して交差して延びる。対向壁部１５８は、溝底部８２から上方に離間している。以下、一対の対向壁部１５８の一方から他方までの最短の距離を、「一対の対向壁部１５８の対向距離」という。
【００２３】
壁部１５２の中央部には、円形状の孔部（図示略）が形成される。孔部は、回転金具１３０の貫通孔１３３と対向する。孔部と貫通孔１３３には、ボルト９４が挿通される。本例のボルト９４は、ＪＩＳ規格（ＪＩＳ−Ｂ−１１８１，１１８２）で定められる「Ｍ８」の標準ボルトである。ボルト９４は、頭部９３と軸部９１を備える。頭部９３は、略六角形状に形成され、インナー金具１５０の一対の対向壁部１５８の間に配置される。頭部９３は、インナー金具１５０の板状部１３２に下方から接触する。頭部９３の最大外径は、一対の対向壁部１５８の対向距離よりも長い一方、頭部９３の最小外径は、一対の対向壁部１５８の対向距離よりも短い。軸部９１は、頭部９３から上方に延び、孔部（図示略）及び貫通孔１３３に挿通される。軸部９１は、隙間８６Ａを通過して、一対のリップ片８６よりも上方へ延びる。後述するように、軸部９１には、ナット９６（図２参照）が挿通される。
【００２４】
本例の回転金具１３０及びインナー金具１５０は、ボルト９４の大きさ（即ちＭ８の大きさ）に対応した金具である。この他にも、Ｍ６のボルト６（図９参照）、Ｍ１０のボルト１０（図１０参照）、及びＭ１２のボルト（図示略）のそれぞれの大きさに対応して、回転金具（図示略）及びインナー金具（図示略）が使い分けられる。ここでは詳細な説明を省略する。以下、Ｍ６からＭ１０までのボルトを総称する場合、単に「ボルト」という場合がある。
【００２５】
図２に示すように、高さ調整ワッシャー１００は、例えばプレス加工によって形成される板状部材である。高さ調整ワッシャー１００は、例えば互いに同じ向きで積み重ねられて、一対のリップ片８６に載置される。高さ調整ワッシャー１００は、一例として三枚積み重ねられる。高さ調整ワッシャー１００には、ボルト９４の軸部９１が挿通される開口縁部１６０が設けられる。高さ調整ワッシャー１００は、パネル３を下方から支持する。従って、パネル３と一対のリップ片８６との間に介在する高さ調整ワッシャー１００の枚数によって、パネル３の高さは調整される。高さ調整ワッシャー１００の詳細な構造については、後述する。
【００２６】
固定金具１７０を説明する。固定金具１７０は、高さ調整ワッシャー１００に載置される板状部材である。固定金具１７０は、載置部１７２、立設部１７５、及び挟持部１７６を備える。載置部１７２は、高さ調整ワッシャー１００に載置される。立設部１７５は、載置部１７２の後端部から上方に立設し、パネル３の一端部に対して前側から対向する。挟持部１７６は、立設部１７５から後方へ突出する。挟持部１７６は、高さ調整ワッシャー１００との間で、パネル３を挟み込む。
【００２７】
載置部１７２には円形状のボルト孔１７３が設けられる。ボルト孔１７３は、高さ調整ワッシャー１００の開口縁部１６０に対向する。ボルト孔１７３は、ボルト９４の軸部９１が挿通される。ナット９６は、軸部９１に上方から挿通される。ナット９６は、座金９８及びバネ座金９７を介して、載置部１７２を上方から押圧している。
【００２８】
図４〜図６を参照し、高さ調整ワッシャー１００の詳細な構成を説明する。以下、図４の左下方、左上方、右上方、右下方、上方、及び下方を、それぞれ、高さ調整ワッシャー１００の第一方向、第二方向、第三方向、第四方向、第五方向、及び第六方向と定義して説明する。第一方向と第三方向は互いに反対方向を向く。第一方向と第三方向を総称する場合、「横方向」という。第二方向と第四方向は互いに反対方向を向く。第二方向と第四方向を総称する場合、「縦方向」という。第五方向と第六方向は互いに反対方向を向く。第五方向と第六方向を総称する場合、「挿通方向」という。
【００２９】
高さ調整ワッシャー１００が使用される場合、挿通方向が、ワッシャー固定構造１の上下方向と一致する（図２参照）。また、高さ調整ワッシャー１００が使用される場合、横方向と縦方向のいずれか一方が、ワッシャー固定構造１の左右方向と一致し、横方向と縦方向のいずれか他方が、ワッシャー固定構造１の前後方向と一致する（図２参照）。高さ調整ワッシャー１００は、平面部１０１Ａを含む板状体１０１を有する。本例の板状体１０１は、縦方向を長手方向とする略矩形状である。板状体１０１の厚さは、一例として１．６ｍｍである。
【００３０】
図４及び図５に示すように、板状体１０１は、第一縁部１１、第二縁部２２、第一接続縁部１１０、第三縁部３３、対向縁部５５Ａ、第二接続縁部２２０、対向縁部５５Ｂ、及び開口縁部１６０を含む。第一縁部１１は、平面部１０１Ａの第一の縁部である。第一縁部１１は、縦方向に沿って直線状に延びる。第二縁部２２は、平面部１０１Ａの第二の縁部であって、第一縁部１１の第二方向の端から、第三方向へ直線状に延びる。即ち、第二縁部２２は、第一縁部１１とは交差する方向に直線状に延びる。第一接続縁部１１０は、第二縁部２２の第三方向の端から、第三方向且つ第四方向へ直線状に延びる。第一接続縁部１１０は、第二縁部２２に対して傾斜する。「縁部が他の縁部に対して傾斜する」とは、縁部と他の縁部とのなす角度が鋭角又は鈍角になるこという。第一接続縁部１１０は、挿通方向に厚さを有する。第一接続縁部１１０の厚さは、一例として１．６ｍｍである。
【００３１】
第三縁部３３は、平面部１０１Ａの第三の縁部であり、第一接続縁部１１０の第三方向の端から第四方向へ直線状に延びる。第三縁部３３は、平面部１０１Ａのうち第一縁部１１とは反対側の縁部である。第三縁部３３は、第一接続縁部１１０に対して傾斜する。本例の第三縁部３３は、第一縁部１１に対して平行である。対向縁部５５Ａは、第三縁部３３の第四方向の端から、第一方向へ直線状に延びる。
【００３２】
以下、第三縁部３３と第一接続縁部１１０とが互いに接続する位置を「接続位置Ａ」という。また、接続位置Ａと第一縁部１１とを最短で結ぶ仮想的な線分を仮想線分９という。本例の仮想線分９は、横方向に延び、第一縁部１１に対して直交する。
【００３３】
また、仮想線分９を二等分する位置にて第一縁部１１と平行に延びる仮想的な平面を、「仮想平面７」という。仮想平面７は、縦方向と挿通方向のそれぞれの方向に延びる。本例では、接続位置Ａと仮想平面７との横方向における距離と、第一縁部１１と仮想平面７との横方向における距離は、互いに等しい。本例では、仮想平面７は、対向縁部５５Ａに対して第一方向側に配置される。
【００３４】
第二接続縁部２２０は、第一縁部１１の第四方向の端から、第三方向且つ第四方向へ直線状に延びる。第二接続縁部２２０は、第一縁部１１に対して傾斜する。第二接続縁部２２０は、挿通方向に厚さを有する。第二接続縁部２２０の厚さ（図６の寸法ｔに相当）は、一例として１．６ｍｍである。対向縁部５５Ｂは、第二接続縁部２２０の第四方向の端から、第三方向へ直線状に延びる。対向縁部５５Ｂは、第二接続縁部２２０に対して傾斜する。対向縁部５５Ｂは、仮想平面７に対して対向縁部５５Ａとは反対側に配置される。以下、対向縁部５５Ａ、５５Ｂを総称する場合「対向縁部５５」という。対向縁部５５は、板状体１０１の第四方向の縁部を形成する。対向縁部５５は、仮想平面７と直交する方向である横方向に直線状に延びる。
【００３５】
図５に示すように、開口縁部１６０は、孔部１６０Ａを内側に形成する縁部であり、第四方向の端を開放端とする縁部である。孔部１６０Ａは、板状体１０１を挿通方向に貫通する孔であり、ボルト９４の軸部９１（図２参照）が挿通される。孔部１６０Ａには、仮想平面７が通過する。換言すると、開口縁部１６０の内側には、仮想平面７が通過する。
【００３６】
開口縁部１６０は、一対の直線縁部１６３、第一開口縁部１６１、第二開口縁部１６２、湾曲縁部１６４を備える。一対の直線縁部１６３は、縦方向に沿って直線状に延びる縁部である。一対の直線縁部１６３は、仮想平面７に対して対称である。一対の直線縁部１６３の一方は、対向縁部５５Ａの第一方向の端から第二方向へ延び、一対の直線縁部１６３の他方は、対向縁部５５Ｂの第三方向の端から第二方向へ延びる。
【００３７】
第一開口縁部１６１と第二開口縁部１６２は、仮想平面７に対して対称であり、且つ、縦方向及び横方向に交差して延びる。より詳細には、第一開口縁部１６１は、一対の直線縁部１６３の一方から第一方向且第二方向へ直線状に延び、第二開口縁部１６２は、一対の直線縁部１６３の他方から第二方向且つ第三方向へ直線状に延びる。従って、第一開口縁部１６１と第二開口縁部１６２の対向距離（図５の寸法Ｌに相当）は、第二方向へ向かうに従って漸減する。第一開口縁部１６１と第二開口縁部１６２の対向距離の最大値は、Ｍ１２となるボルト（図示略）の軸部の外径に略等しい。また、第一開口縁部１６１と第二開口縁部１６２の対向距離の最小値は、Ｍ６となるボルト６（図９参照）の軸部６Ａの外径と略等しい。
【００３８】
湾曲縁部１６４は、第一開口縁部１６１と第二開口縁部１６２のそれぞれの第二方向の端を接続する。湾曲縁部１６４は、第二方向に向けて円弧状に湾曲する。湾曲縁部１６４は、Ｍ６となるボルト６（図９参照）の軸部６Ａの外周形状に対応する。従って、孔部１６０Ａに挿通されるボルトの軸部は、ボルトの大きさに関わらず、縦方向における所定の位置で、第一開口縁部１６１及び第二開口縁部１６２に接触できる。
【００３９】
図５及び図６に示すように、第一縁部１１と第二縁部２２との接続部分は、第一角部１１１を形成する。第一角部１１１は、第一接続縁部１１０と横方向に並ぶ。第一角部１１１は、第一基端部１１１Ａと第一突出部１１１Ｂを備える。第一基端部１１１Ａは、第一接続縁部１１０の厚さ方向において、第一接続縁部１１０と略同じ位置にある部位である。第一基端部１１１Ａは、第四方向に向かうに従って第一方向側へ向かうように直線状に延びる。
【００４０】
第一突出部１１１Ｂは、第一基端部１１１Ａから第五方向側へ突出する。より詳細には、第一突出部１１１Ｂは、第一方向且つ第二方向へ向かうに従い第五方向側へ向かうように、第一基端部１１１Ａから突出する。第一突出部１１１Ｂは、第一基端部１１１Ａから離間するに従い先細る形状である。換言すると、第一突出部１１１Ｂは、第五方向へ向かうに従い先細る形状である。本例の第一突出部１１１Ｂの先端部には、バリ取りを施していない。以下、第一接続縁部１１０の厚さ方向における、第一基端部１１１Ａから第一突出部１１１Ｂの先端までの最短の距離を、「第一突出部１１１Ｂの突出長さ」という。第一突出部１１１Ｂの突出長さは、寸法Ｓ（図６参照）によって示される。
【００４１】
第一接続縁部１１０と第一角部１１１の形状及び位置関係を説明する。図６に示すように、第一突出部１１１Ｂの突出部長さ（図６の寸法Ｓ）は、一例として１．３ｍｍであり、第一接続縁部１１０の厚さ（即ち１．６ｍｍ）よりも短い。図５に示すように、縦方向において、第一接続縁部１１０の長さ（寸法Ｋ１）は、第一基端部１１１Ａの長さ（寸法Ｍ１）よりも長い。また、横方向において、第一接続縁部１１０の長さ（寸法Ｋ２）は、第一基端部１１１Ａの長さ（寸法Ｍ２）よりも長い。さらに、第二縁部２２から第四方向に距離Ｘ１（０≦Ｘ１≦Ｍ１）だけ変位した位置において、仮想平面７と第一接続縁部１１０との横方向における離間距離（寸法Ｙ１）は、仮想平面７と第一基端部１１１Ａとの横方向における離間距離（寸法Ｙ２）以下である。換言すると、第一接続縁部１１０は、横方向における仮想平面７との離間距離が、横方向における仮想平面７と第一基端部１１１Ａとの離間距離以下となる位置に、配置される。
【００４２】
使用者は、二枚の高さ調整ワッシャー１００を、互いに反転させた状態で積み重ねることができる（図１１参照）。より詳細には、使用者は、一方の高さ調整ワッシャー１００の第一縁部１１、第二縁部２２、及び第三縁部３３が、それぞれ、他方の高さ調整ワッシャー１００の第三縁部３３、第二縁部２２、及び第一縁部１１に重なるように積み重ねることができる。この場合、第一接続縁部１１０と第一角部１１１が上記関係を有することで、一方の第一突出部１１１Ｂと、他方の第一接続縁部１１０は、互いに接触することなく、横方向及び縦方向とに対向する（図１１参照）。さらに、この場合、一方の高さ調整ワッシャー１００の第一突出部１１１Ｂの先端は、他方の高さ調整ワッシャー１００の板状体１０１から突出することはない（図１２参照）。
【００４３】
第三縁部３３と対向縁部５５Ａとの接続部分は、第二角部２２２を形成する。第二角部２２２は、第二接続縁部２２０と横方向に並ぶ。第二角部２２２は、第二基端部２２２Ａと第二突出部２２２Ｂを備える。第二基端部２２２Ａは、第一接続縁部１１０の厚さ方向において、第一接続縁部１１０と略同じ位置にある部位である。第二基端部２２２Ａは、第四方向に向かうに従い第一方向側へ向かうように直線状に延びる。
【００４４】
第二突出部２２２Ｂは、第二基端部２２２Ａから第五方向側へ突出する。より詳細には、第二突出部２２２Ｂは、第三方向且つ第四方向へ向かうに従い第五方向側へ向かうように、第二基端部２２２Ａから突出する。第二突出部２２２Ｂは、第二基端部２２２Ａから離間するに従い先細る形状である。言い換えると、第二突出部２２２Ｂは、第五方向へ向かう程先細る形状である。本例の第二突出部２２２Ｂの先端部には、バリ取りを施していない。以下、第一接続縁部１１０の厚さ方向における、第二基端部２２２Ａから第二突出部２２２Ｂの先端までの最短の距離を、「第二突出部２２２Ｂの突出長さ」という。第二突出部２２２Ｂの突出長さは、寸法Ｓ（図６参照）に相当する。
【００４５】
第二突出部２２２Ｂの突出部長さ（図６の寸法Ｓ）は、一例として１．３ｍｍであり、第二接続縁部２２０の厚さ（即ち１．６ｍｍ）よりも短い。第二接続縁部２２０の形状は、第一接続縁部１１０の形状と同一であり、第二角部２２２の形状は、第一角部１１１の形状と同一である。また、第二角部２２２と第二接続縁部２２０との位置関係は、第一角部１１１と第一接続縁部１１０との位置関係と同様である。即ち、第二接続縁部２２０は、横方向における仮想平面７との離間距離が、横方向における仮想平面７と第二基端部２２２Ａとの離間距離以下となる位置に、配置される。従って、使用者が二枚の高さ調整ワッシャー１００を上下反転させて積み重ねた場合、一方の第二突出部２２２Ｂと、他方の第二接続縁部２２０は、互いに接触することなく、横方向及び縦方向に対向する。この場合、一方の高さ調整ワッシャー１００の第二突出部２２２Ｂの先端は、他方の高さ調整ワッシャー１００の板状体１０１から突出することはない（図１１参照）。
【００４６】
図２、図３、図７、図８を参照し、パネル３の固定方法を説明する。尚、図７では、ボルト９４のうち軸部９１のみをハッチングを施して図示する（図９、図１０も同様）。また、図８は、パネル３が高さ調整ワッシャー１００に載置される一例の模式図である。使用者は、インナー金具１５０を回転金具１３０の一対の側壁部１３８の間に配置する。さらに、使用者は、ボルト９４の頭部９３を一対の側壁部１３８の間に配置した状態で、軸部９１を、インナー金具１５０の孔部（図示略）と、回転金具１３０の貫通孔１３３に挿通する。使用者は、回転金具１３０、インナー金具１５０、及びボルト９４を、リップ溝形鋼８０の溝底部８２に載置する。回転金具１３０の板状部１３２の長手方向両端部は、それぞれ、一対のリップ片８６の下方に位置する。ボルト９４の軸部９１は、隙間８６Ａを通過して、一対のリップ片８６よりも上方に延びる。
【００４７】
使用者は、例えば、三枚の高さ調整ワッシャー１００を、互いに同じ向きで積み重なる。三枚の高さ調整ワッシャー１００の各仮想平面７は、互いに略一致する。使用者は、積み重ねた三枚の高さ調整ワッシャー１００を、第一方向が左方向に一致し、第四方向が前方向に一致し、且つ、第五方向が上方向に一致するように持つ。そして、使用者は、各孔部１６０Ａに軸部９１が挿通し、さらに第一開口縁部１６１及び第二開口縁部１６２が軸部９１に接触する状態で、高さ調整ワッシャー１００の平面部１０１Ａを一対のリップ片８６に載置する。各開口縁部１６０の第四方向（即ち図２では前方向）の端が、開放端となるので、使用者は、各高さ調整ワッシャー１００の孔部１６０Ａを、軸部９１に挿通させ易い。軸部９１は、高さ調整ワッシャー１００の開口縁部１６０から上方に突出する。このとき、第一角部１１１が軸部９１に対して左後方に位置する。
【００４８】
使用者は、最も上側にある高さ調整ワッシャー１００に、パネル３の一端部を載置する。パネル３の一端部は、開口縁部１６０よりも後側（即ち第二方向側）に配置される。使用者は、ボルト孔１７３に軸部９１を挿通させて、固定金具１７０を高さ調整ワッシャー１００に載置する。軸部９１は、ボルト孔１７３から上方に突出し、固定金具１７０の挟持部１７６は、上方からパネル３に接触する。
【００４９】
使用者は、座金９８、バネ座金９７、ナット９６を、順に軸部９１に上方から挿通する。使用者が、ナット９６を回転させながら下方へ移動させる過程で、回転金具１３０、インナー金具１５０、及びボルト９４は、溝底部８２から上方へ移動する。回転金具１３０が一対のリップ片８６に下方から接触した後に、使用者はナット９６を更に締め付ける。これにより、回転金具１３０、高さ調整ワッシャー１００、及び固定金具１７０は、いずれも、ボルト９４及びナット９６によってリップ溝形鋼８０に固定される。また、挟持部１７６及び高さ調整ワッシャー１００が、パネル３の一端部を上下方向に挟み込むことで、パネル３はリップ溝形鋼８０に固定される。
【００５０】
図８に示すように、第一突出部１１１Ｂの先端部は、パネル３の被覆部３Ｂを破り、導電性部材３Ａに接触する。高さ調整ワッシャー１００は、導電性部材３Ａと、リップ溝形鋼８０とを導通させることで、パネル３を接地する。尚、パネル３に対して接地がなされる場合、高さ調整ワッシャー１００は、一枚だけ使用されてもよいし、二枚、又は四枚以上、積み重ねられて使用されてもよい。
【００５１】
尚、詳細な図示は省略するが、使用者は、三枚の高さ調整ワッシャー１００を、第一方向が右方向に一致し、第四方向が後方向に一致し、且つ、第五方向が上方向に一致するように配置してもよい。この場合、第二角部２２２がボルト９４の軸部９１に対して左後方に位置する。従って、第一突出部１１１Ｂに代えて第二突出部２２２Ｂが、パネル３の被覆部３Ｂを破って導電性部材３Ａに接触する。
【００５２】
図９及び図１０に示すように、高さ調整ワッシャー１００とパネル３は、Ｍ６となるボルト６、又はＭ１０となるボルト１０によって固定されてもよい。図示しないが、この場合、ボルトの大きさに応じた回転金具、インナー金具、及びナットが使い分けられる。孔部１６０Ａに挿通されるボルト６の軸部６Ａは、第一開口縁部１６１、第二開口縁部１６２、及び湾曲縁部１６４に接触する（図９参照）。即ち、軸部６Ａが開口縁部１６０に接触する位置は、軸部９１が開口縁部１６０に接触する位置よりも第二方向側（後側）である。また、ボルト１０の軸部１１０Ａが開口縁部１６０に接触する位置は、軸部９１が開口縁部１６０に接触する位置よりも第四方向側（前側）である。尚、Ｍ１２のボルトの軸部（図示外）が、開口縁部１６０に接触する位置は、軸部１１０Ａが開口縁部１６０に接触する位置よりも、さらに第四方向側（前側）である。
【００５３】
一方、図１１、図１２に示すように、使用者は、最も上側にある高さ調整ワッシャー１００のみ、その下側にある高さ調整ワッシャー１００に対して、上下反転させて積み重ねてもよい。例えば、高さ調整ワッシャー１００によるパネル３の接地が不要な場合、使用者は、最も上側にある高さ調整ワッシャー１００を上下反転させる。以下、最も上側にある高さ調整ワッシャー１００を「上側にある高さ調整ワッシャー１００」という場合がある。また、上側にある高さ調整ワッシャー１００よりも下側にある高さ調整ワッシャー１００を「下側にある高さ調整ワッシャー１００」という場合がある。使用者は、上側にある高さ調整ワッシャー１００の第一縁部１１、第二縁部２２、及び第三縁部３３をそれぞれ、下側にある高さ調整ワッシャー１００の第三縁部３３、第二縁部２２、及び第一縁部１１に重なるように積み重ねる。これにより、上側にある高さ調整ワッシャー１００の仮想平面７と、下側にある高さ調整ワッシャー１００の仮想平面７は、互いに略一致する。
【００５４】
この場合、上側にある高さ調整ワッシャー１００の第一突出部１１１Ｂは、下側にある高さ調整ワッシャー１００の第一接続縁部１１０に対して左前方に配置される。また、上側にある高さ調整ワッシャー１００の第二突出部２２２Ｂは、下側にある高さ調整ワッシャー１００の第二接続縁部２２０に対して、右後方に配置される。つまり、上側にある高さ調整ワッシャー１００の第一突出部１１１Ｂと第二突出部２２２Ｂは、それぞれ、下側にある高さ調整ワッシャー１００の第一接続縁部１１０と第二接続縁部２２０に対して、縦方向及び横方向に対向する。
【００５５】
また、上述したように、第一突出部１１１Ｂの突出部長さと第二突出部２２２Ｂの突出長さは、いずれも、第一接続縁部１１０厚さと第二接続縁部２２０の厚さよりも短い。よって、下側にある高さ調整ワッシャー１００の第一突出部１１１Ｂと第二突出部２２２Ｂは、いずれも、上側にある高さ調整ワッシャー１００の板状体１０１から上側に突出しない。さらに、上側にある高さ調整ワッシャー１００の第一突出部１１１Ｂと第二突出部２２２Ｂは、下側に向けて突出する。つまり、複数枚の高さ調整ワッシャー１００の第一突出部１１１Ｂと第二突出部２２２Ｂは、いずれも、パネル３に対して接触しない。パネル３は高さ調整ワッシャー１００に対して面接触する。よって、パネル３の被覆部３Ｂは、不要に傷つけられることはない。故に、使用者は、不要な傷をつけることなくパネル３の高さ調整を行うことができる。
【００５６】
尚、図示しないが、高さ調整ワッシャー１００には、互いに異なる二つのパネル３が載置可能である。二つのパネル３のそれぞれに高さ調整ワッシャー１００による接地が必要な場合、使用者は、第一突出部１１１Ｂを一方のパネル３に接触させ、第二突出部２２２Ｂを他方のパネル３に接触させればよい。また、二つのパネル３のいずれにも高さ調整ワッシャー１００による接地が不要な場合、使用者は、上側にある高さ調整ワッシャー１００を上下反転させればよい。
【００５７】
以上説明したように、使用者は、パネル３とリップ溝形鋼８０との間に、一枚又は複数枚の高さ調整ワッシャー１００を配置する。これにより、使用者は、パネル３の高さを調整できる。また、使用者は、ボルト９４、ナット９６、及び固定金具１７０によって、パネル３をリップ溝形鋼８０に固定できる。これにより、使用者は、パネル３を所望の高さで固定できる。高さ調整ワッシャー１００によるパネル３の接地が必要となる場合、使用者は、上側にある高さ調整ワッシャー１００の第一突出部１１１Ｂ又は第二突出部２２２Ｂを、パネル３に接触させる。第一突出部１１１Ｂ又は第二突出部２２２Ｂが、被覆部３Ｂを破って導電性部材３Ａに接触するので、高さ調整ワッシャー１００は、パネル３に対して接地できる。一方、パネル３に高さ調整ワッシャー１００による接地が不要な場合、使用者は、上側にある高さ調整ワッシャー１００を、第一突出部１１１Ｂと第二突出部２２２Ｂが下側へ突出するように上下反転させる。これにより、第一突出部１１１Ｂ及び第二突出部２２２Ｂがパネル３に接触しないので、高さ調整ワッシャー１００は、パネル３に対して不要な傷をつけない。以上より、パネル３を高さ調整しつつ接地可能であると共に、接地が不要なパネル３に対しては不要な傷をつけることなく高さ調整できる高さ調整ワッシャー１００が実現される。
【００５８】
第一突出部１１１Ｂ及び第二突出部２２２Ｂは、それぞれ、第一基端部１１１Ａ及び第二基端部２２２Ａから離間する従い先細る形状である。従って、第一突出部１１１Ｂ及び第二突出部２２２Ｂは、被覆部３Ｂを破り易い。よって、高さ調整ワッシャー１００は、パネル３に対して接地し易い。
【００５９】
第一開口縁部１６１と第二開口縁部１６２は、それぞれ、直線状に延びる。第一開口縁部１６１と第二開口縁部１６２は、ボルト９４の軸部９１を開口縁部１６０の内側に挿通させるガイド部として機能する。よって、使用者は、ボルト９４を孔部１６０Ａに挿通し易い。また、本例では、高さ調整ワッシャー１００の製造工程で、金型が使用される。軸部９１のガイド機能を有する第一開口縁部１６１と第二開口縁部１６２が、湾曲している場合に比べて、高さ調整ワッシャー１００の金型に加わる負荷は、低減する。従って、高さ調整ワッシャー１００の製造工程における加工は、容易化する。
【００６０】
第一開口縁部１６１と第二開口縁部１６２は、仮想平面７に対して対称であり、且つ、縦方向に対して交差して直線状に延びる。第一開口縁部１６１と第二開口縁部１６２の対向距離は、縦方向に沿って変化する。よって、ボルトの大きさに関わらず、開口縁部１６０に挿通するボルトの軸部は、縦方向における所定の位置にて、第一開口縁部１６１及び第二開口縁部１６２に接触する。よって、高さ調整ワッシャー１００は、開口縁部１６０に挿通するボルトの大きさに関わらず、孔部１６０Ａに挿通するボルトの縦方向の位置を安定化できる。よって、高さ調整ワッシャー１００の使い易さは、向上する。また、使用者は、大きさの異なるボルトを使用する場合であっても、パネル３の高さ調整を一種類の高さ調整ワッシャー１００で行うことができる。つまり、ボルトの大きさに応じた複数種類の高さ調整ワッシャー１００が製造される必要がないので、ワッシャー固定構造１の低コスト化が実現される。
【００６１】
開口縁部１６０の第四方向の端は、開放端となる。従って、縦方向及び横方向のいずれの方向にも開放端が設けられていない場合に比べて、使用者は、ボルト９４の軸部９１を孔部１６０Ａに挿通し易くなる。よって、高さ調整ワッシャー１００の使い易さは、更に向上する。
【００６２】
第一角部１１１と第一接続縁部１１０は横方向に並び、且つ、第二角部２２２と第二接続縁部２２０は横方向に並ぶ。高さ調整ワッシャー１００による接地がパネル３に必要な場合、使用者は、上側にある高さ調整ワッシャー１００を上下反転させる。第一縁部１１と第三縁部３３の長さに関わらず、上側にある高さ調整ワッシャー１００の第一突出部１１１Ｂは、下側にある高さ調整ワッシャー１００の第一接続縁部１１０に、縦方向及び横方向に対向できる。同様に、第一縁部１１と第三縁部３３の長さに関わらず、上側にある第二突出部２２２Ｂは、下側にある第二接続縁部２２０に、縦方向及び横方向に対向できる。従って、高さ調整ワッシャー１００の形状の自由度が向上する。よって、高さ調整ワッシャー１００の形状は、使用方法に応じた適切な形状になり易い。また、高さ調整ワッシャー１００が一対のリップ片８６に載置された場合、第五方向が上方向と一致していれば、高さ調整ワッシャー１００の軸部９１を中心とした回転位置に関わらず、第一突出部１１１Ｂ又は第二突出部２２２Ｂは、パネル３に対して接触し易い。また、高さ調整ワッシャー１００が第一角部１１１と第二角部２２２を有することで、一枚の高さ調整ワッシャー１００に載置した二つのパネル３のそれぞれに対して接地が可能となる。よって、高さ調整ワッシャー１００の使い勝手が向上する。
【００６３】
高さ調整ワッシャー１００は、第一突出部１１１Ｂと第二突出部２２２Ｂを備える。高さ調整ワッシャー１００が、第一突出部１１１Ｂが軸部９１に対して左後方にある配置位置、又は、第二突出部２２２Ｂが軸部９１に対して左後方にある配置位置のいずれかの配置位置にあれば、第一突出部１１１Ｂ又は第二突出部２２２Ｂがパネル３に対して接触できる。よって、高さ調整ワッシャー１００がパネル３に対して接地し易くなる。故に、高さ調整ワッシャー１００の使い易さが向上する。
【００６４】
上記実施形態において、ワッシャー固定構造１が本発明の「高さ調整ワッシャー固定構造」の一例である。対向縁部５５は本発明の「第五縁部」の一例である。第三縁部３３は本発明の「第六縁部」の一例である。第一縁部１１は本発明の「第七縁部」の一例である。ボルト６，１０，９４は本発明の「締結部材」の一例である。
【００６５】
本発明は上記実施形態に限定されるものではなく、種々の変形が可能である。第三縁部３３は、接続位置Ａから第四方向へ直線状に延びる代わりに、接続位置Ａから第一方向へ直線状に延びていてもよいし、接続位置Ａから、第一方向且つ第四方向へ直線状に延びてもよい。第一接続縁部１１０、第二接続縁部２２０、第三縁部３３は、直線状に延びる代わりに、湾曲して延びていてもよい。
【００６６】
縦方向において、第一縁部１１の第二方向の端は、接続位置Ａよりも第四方向側にあってもよい。この場合、仮想線分９は、横方向に対して傾斜する。また、板状体１０１は、第一突出部１１１Ｂ及び第二突出部２２２Ｂのいずれか一方を備えていなくてもよい。
【００６７】
開口縁部１６０は、第四方向の端を開放端とする代わりに、例えば、第一方向、第二方向、又は第三方向の端を開口端としてもよい。この場合であっても、開口縁部１６０の内側に仮想平面７が通過していればよい。開口縁部１６０は、第一開口縁部１６１及び第二開口縁部１６２等の直線状に延びる縁部を備えてなくてもよい。例えば、開口縁部１６０は、板状体１０１の中央部に円形状に形成されていてもよいし、楕円形状に形成されていてもよい。また、開口縁部１６０は、板状体１０１の中央部に、例えば三角形状及び四角形状等の多角形状に形成されていてもよい。開口縁部１６０が例えば円形状である場合、ボルトが挿通された高さ調整ワッシャー１００は、パネル３が固定される過程で、ボルトから外れにくくなる。また、開口縁部１６０に挿通されるボルトの大きさは、上記実施形態に限定されない。例えば、Ｍ１６、Ｍ２０等のボルトが開口縁部１６０に挿通されてもよい。
【００６８】
回転金具１３０、インナー金具１５０、ボルト９４の代わりに、螺子部材が用いられてもよい。この場合、例えば、リップ溝形鋼８０の溝底部８２に螺子穴が設けられる。使用者は、螺子部材を、固定金具１７０のボルト孔１７３及び高さ調整ワッシャー１００の孔部１６０Ａを上方から挿通して、溝底部８２の螺子穴に捩じ込む。これにより、固定金具１７０の挟持部１７６は高さ調整ワッシャー１００との間でパネル３を挟み込む。故に、パネル３はリップ溝形鋼８０に固定される。
【００６９】
高さ調整ワッシャー１００は、パネル３に代えて種々の対象物の高さを調整可能である。例えば、高さ調整ワッシャー１００は、導電性部材と、ゴム部材等で形成され且つ導線性部材を被覆する被覆部とを有する対象物の高さ調整に使用されてもよい。
【００７０】
図１３、図１４を参照し、高さ調整ワッシャー１００の第一変形例である高さ調整ワッシャー２００を説明する。高さ調整ワッシャー２００は、板状体１０１に代えて板状体２０１を備える。板状体２０１は、開口縁部１６０に代えて開口縁部２６０を備える点を除いて、板状体１０１と同様の構成である。開口縁部２６０は、第一開口縁部１６１及び第二開口縁部１６２を備える代わりに、湾曲縁部２７０を備える点を除いて、開口縁部１６０と同様の構成である。開口縁部２６０は、ボルトの軸部が挿通される孔部２６０Ａを内側に形成する。
【００７１】
湾曲縁部２７０は、一対の第一湾曲縁部２６１、一対の第二湾曲縁部２６２、及び一対の第三湾曲縁部２６３を備える。一対の第一湾曲縁部２６１は仮想平面７に対して対称な形状であり、Ｍ１２のボルト（図示略）の軸部に対応する円弧状である。一対の第二湾曲縁部２６２は、仮想平面７に対して対称な形状であり、Ｍ１０のボルト１０の軸部１１０Ａに対応する円弧状である。第二湾曲縁部２６２は、第一湾曲縁部２６１の第二方向の端から、第二方向側へ湾曲して延びる。一対の第三湾曲縁部２６３は、仮想平面７に対して対称な形状であり、Ｍ８のボルト９４の軸部９１に対応する円弧状である。第三湾曲縁部２６３は、第二湾曲縁部２６２の第二方向の端から、第二方向側へ湾曲して延びる。湾曲縁部１６４は、一対の第三湾曲縁部２６３の第二方向の端に接続する。
【００７２】
使用者は、第四方向側から孔部２６０Ａに挿通したボルトの軸部を、ボルトの大きさに応じた所定の縦方向位置にて、湾曲縁部２７０に接触させることができる。例えば、図１４に示すように、Ｍ８のボルト９４の軸部９１は、一対の第三湾曲縁部２６３に接触する位置にて、縦方向における位置が位置決めされる。図示しないが、Ｍ１２のボルトの軸部は、一対の第一湾曲縁部２６１に接触する位置にて、Ｍ１０のボルト１０の軸部１１０Ａは、一対の第二湾曲縁部２６２に接触する位置にて、Ｍ６のボルト６の軸部６Ａは、湾曲縁部１６４に接触する位置にて、それぞれ位置決めされる。よって、高さ調整ワッシャー２００は、ボルトの大きさに応じて、開口縁部２６０に挿通するボルトの縦方向における位置を容易に位置決めできる。
【００７３】
図１５、図１６を参照し、高さ調整ワッシャー１００の第二変形例である高さ調整ワッシャー３００を説明する。高さ調整ワッシャー３００は、平面部３０１Ａを含む板状体３０１を有する。板状体３０１は、略正方形状の板状部材である。板状体３０１の板厚は、板状体１０１の板厚と同じである。
【００７４】
板状体３０１は、第一縁部３１１、第二縁部３２２、第一接続縁部３１０、第三縁部３３３、第四縁部３４４、開口縁部３６０を備える。第一縁部３１１は、平面部３０１Ａの第一の縁部であり、板状体３０１の第二方向の縁部を形成する。第一縁部３１１は、横方向に延びる。第二縁部３２２は、平面部３０１Ａの第二の縁部であり、第一縁部３１１の第三方向の端から第四方向へ直線状に延びる。第一接続縁部３１０は、第二縁部３２２の第四方向の端から、第一方向且つ第四方向へ直線状に延びる。第三縁部３３３は、平面部３０１Ａの第三の縁部であり、第一接続縁部１１０の第一方向の端から第一方向へ直線状に延びる。
【００７５】
以下、第三縁部３３３と第一接続縁部３１０との接続位置を、「接続位置Ｂ」という。接続位置Ｂと第一縁部３１１とを最短で結ぶ線分を、仮想線分３０６という。仮想線分３０６は、縦方向に延びる。仮想線分３０６を二等分して第一縁部３１１と平行に延びる仮想的な平面を「仮想平面３０７」という。仮想平面３０７は、横方向と挿通方向とに延びる。第四縁部３４４は、第一縁部３１１の第一方向の端から、第四方向へ直線状に延びる。第四縁部３４４は、第二縁部３２２と互いに平行である。第四縁部３４４と第一縁部３１１との接続部分によって、第一角部１１１が形成される。
【００７６】
開口縁部３６０は、第二縁部３２２と第四縁部３４４との間に形成される。開口縁部３６０は、孔部３６０Ａを内側に形成する縁部であり、第四方向を開放端とする。孔部３６０Ａには、例えばボルト９４の軸部９１が挿通可能である。孔部３６０Ａには、仮想平面３０７が通過する。
【００７７】
高さ調整ワッシャー３００の第一角部１１１と第一接続縁部１１０の形状及び位置関係を説明する。高さ調整ワッシャー１００と同様、横方向と縦方向のそれぞれの方向において、第一基端部１１１Ａは第一接続縁部１１０よりも長い。第一突出部１１１Ｂの突出長さは、第一接続縁部１１０の厚さよりも短い。また、第二縁部３２２から第一方向に距離Ｘ２（０≦Ｘ２≦Ｍ２）だけ変位した位置における、第一接続縁部１１０と仮想平面３０７との縦方向の離間距離は、寸法Ｙ３によって示される。第四縁部３４４から第三方向に距離Ｘ２だけ変位した位置における、第一基端部１１１Ａと仮想平面３０７との縦方向の離間距離は、寸法Ｙ４によって示される。寸法Ｙ３は寸法Ｙ４以下である。即ち、仮想線分３０６が延びる縦方向において、第一接続縁部１１０は、縦方向における仮想平面３０７との離間距離が、縦方向における仮想平面３０７と第一基端部１１１Ａとの離間距離以下となる位置に配置される。
【００７８】
例えば、接地が不要なパネル３に二枚の高さ調整ワッシャー３００が使用される場合、使用者は、二枚の高さ調整ワッシャー３００は互いに反転させた状態で積み重ねる。より詳細には、図１６に示すように、一方の高さ調整ワッシャー３００の第一縁部３１１、第二縁部３２２、及び第三縁部３３３が、それぞれ、他方の高さ調整ワッシャー３００の第二縁部３２２、第一縁部３１１、及び第四縁部３４４に挿通方向に重なるように積み重ねる。高さ調整ワッシャー３００の第一角部１１１と第一接続縁部１１０が上記形状の関係と上記位置関係を有するので、一方の高さ調整ワッシャー３００の第一角部１１１と、他方の高さ調整ワッシャー３００の第一接続縁部１１０は、縦方向及び横方向に対向し、互いに接触することはない。また、一方の高さ調整ワッシャー３００の第一突出部１１１Ｂは、他方の高さ調整ワッシャー３００の板状体３０１から挿通方向に突出することはない。
【符号の説明】
【００７９】
１                      ワッシャー固定構造
６，１０，９４          ボルト
７，３０７              仮想平面
９，３０６              仮想線分
１１，３１１            第一縁部
２２，３２２            第二縁部
３３，３３３            第三縁部
５５                    対向縁部
８０                    リップ溝形鋼
８２                    溝底部
８４                    溝壁部
８６                    リップ片
１００，２００，３００  高さ調整ワッシャー
１０１，２０１，３０１  板状体
１０１Ａ，３０１Ａ      平面部
１１０                  第一接続縁部
１１１                  第一角部
１１１Ａ                第一基端部
１１１Ｂ                第一突出部
１６０，２６０，３６０  開口縁部
１６１                  第一開口縁部
１６２                  第二開口縁部
１７０                  固定金具
２２０                  第二接続縁部
２２２                  第二角部
２２２Ａ                第二基端部
２２２Ｂ                第二突出部
Ａ，Ｂ                  接続位置
【図１】
2017075639.tif 000003
【図２】
2017075639.tif 000004
【図３】
2017075639.tif 000005
【図４】
2017075639.tif 000006
【図５】
2017075639.tif 000007
【図６】
2017075639.tif 000008
【図７】
2017075639.tif 000009
【図８】
2017075639.tif 000010
【図９】
2017075639.tif 000011
【図１０】
2017075639.tif 000012
【図１１】
2017075639.tif 000013
【図１２】
2017075639.tif 000014
【図１３】
2017075639.tif 000015
【図１４】
2017075639.tif 000016
【図１５】
2017075639.tif 000017
【図１６】
2017075639.tif 000018